(57)【要約】【課題】パネルを壁の表側から組み付けることが可能となるとともに、製造コストを下げることができる、壁構造を提供する。【解決手段】横方向に隣合うパネルの一方のパネルＰ１には、第１接続部５が設けられ、他方のパネルＰ２には、第１接続部５に接続される第２接続部６が設けられている。第１接続部５は、接続片５ａを備え、その接続片５は、上端から下方に向かって切り欠かれた切欠き５ｂを有する。この切欠き５ｂは、上方ほど幅広となってその上方に開口する案内部５ｃと、その案内部５ｃの下方の係合凹部５ｄとを備える。一方、第２接続部６は、接続片５ａの一方の面５ｅと当接する当接部６ａと、その当接部６ａから突設された係合凸部６ｂとを備える。この係合凸部６ｂは、係合凹部５ｄに嵌まる嵌合部６ｃと、その嵌合部６ｃよりも先端側の、先端ほど、切欠き５ｂの幅方向と対応する方向の寸法が大となるように形成された延設部６ｄとを備える。【選択図】　図３
2004052220.tif 000002
【特許請求の範囲】
【請求項１】
壁を形成する複数のパネルが横方向に並ぶ壁構造であって、隣合う前記パネルの一方のパネルには、その裏面側に、第１接続部が設けられ、また、他方のパネルには、その裏面側に、前記第１接続部に接続される第２接続部が設けられており、
前記第１接続部は、上端から下方に向かって切り欠かれた切欠きを有する接続片を備え、前記切欠きは、上方ほど幅広となってその上方に開口する案内部と、その案内部の下方の係合凹部とを備え、
前記第２接続部は、前記接続片の一方の面と当接する当接部と、その当接部から突設された係合凸部とを備え、
前記係合凸部は、前記案内部に案内されて前記係合凹部と係合すべく、前記係合凹部に嵌まる嵌合部と、その嵌合部よりも先端側の、先端ほど、前記切欠きの幅方向と対応する方向の寸法が大となるように形成された延設部とを備えることを特徴とする壁構造。
【請求項２】
壁を形成する複数のパネルが横方向に並ぶ壁構造であって、隣合う前記パネルの一方のパネルには、その裏面側に、第１接続部が設けられ、また、他方のパネルには、その裏面側に、前記第１接続部に接続される第２接続部が設けられており、
前記第２接続部は、下端から上方に向かって切り欠かれた切欠きを有する接続片を備え、前記切欠きは、下方ほど幅広となってその下方に開口する案内部と、その案内部の上方の係合凹部とを備え、
前記第１接続部は、前記接続片の一方の面と当接する当接部と、その当接部から突設された係合凸部とを備え、
前記係合凸部は、相対的に前記案内部に案内されて前記係合凹部と係合すべく、前記係合凹部に嵌まる嵌合部と、その嵌合部よりも先端側の、先端ほど、前記切欠きの幅方向と対応する方向の寸法が大となるように形成された延設部とを備えることを特徴とする壁構造。
【請求項３】
前記係合凸部は、その嵌合部と延設部との外周が円によって構成されていることを特徴とする請求項１または２に記載の壁構造。
【請求項４】
前記接続片は、前記切欠きを挟む少なくとも一方の縁部が、前記切欠きの開口側に向かうにつれて前記当接部から離れるように傾斜して形成されていることを特徴とする請求項１ないし３のいずれか１項に記載の壁構造。
【請求項５】
前記接続片は、上下を逆転して使用可能となるように、その接続片には、前記切欠きが、上下の位置のそれぞれに形成されていることを特徴とする請求項１ないし４のいずれか１項に記載の壁構造。
【請求項６】
前記パネルは、板状のパネル材と、そのパネル材の裏面側に設けられたフレームとを備え、
前記第１接続部と前記第２接続部は、前記フレームにそれぞれ設けられていることを特徴とする請求項１ないし５のいずれか１項に記載の壁構造。
【請求項７】
前記接続片は、前記一方の面が、前方を向くようにして、前記一方のパネルから、前記他方のパネル側に突出するようにして設けられていることを特徴とする請求項１に記載の壁構造。
【請求項８】
隣合う前記パネルの、互いに対向する端面には、上下に延びる溝が形成されており、それら溝と、前記パネル間の隙間とに嵌まるように、断面略Ｔ字状または断面略十字状の、スペーサーが設けられていることを特徴とする請求項１ないし７のいずれか１項に記載の壁構造。
【請求項９】
前記壁は、ユニットバスの壁であることを特徴とする請求項１ないし８のいずれか１項に記載の壁構造。
【発明の詳細な説明】
【０００１】
【発明の属する技術分野】
この発明は、壁を形成する複数のパネルが横方向に並ぶ壁構造に関するものである。
【０００２】
【従来の技術および発明が解決しようとする課題】
従来、複数のパネルが並んで形成された壁において、それらパネルを連結するにあたって、例えば、隣合うパネルの裏面側に板状の止め金具を架け渡して止めていた。しかし、このように、壁の裏側での組付作業は、困難な場合も多く、壁の表側から組付作業が可能となる工法が望まれた。
【０００３】
そこで、隣合うパネルが合わさる部分の裏側に予め柱を立てておき、その柱に設けられた取付金具に、壁の表側からパネルを掛けるようにして、そのパネルを柱に固定することも行われた。しかし、この工法においては、パネル同士を柱を介すことで連結しており、柱をパネル数に応じて予め立てておかなければならかった。したかって、この工法は、構造が複雑となり、そのため、コスト高ともなった。
【０００４】
この発明は、上記した従来の欠点を解決するためになされたものであり、その目的とするところは、パネルを壁の表側から組み付けることが可能となるとともに、製造コストを下げることができる、壁構造を提供することにある。
【０００５】
【課題を解決するための手段】
この発明に係る壁構造は、前記目的を達成するために、次の構成からなる。すなわち、
請求項１に記載の発明に係る壁構造は、壁を形成する複数のパネルが横方向に並ぶ壁構造であって、隣合う前記パネルの一方のパネルには、その裏面側に、第１接続部が設けられ、また、他方のパネルには、その裏面側に、前記第１接続部に接続される第２接続部が設けられている。ここで、前記第１接続部は、上端から下方に向かって切り欠かれた切欠きを有する接続片を備える。そして、前記切欠きは、上方ほど幅広となってその上方に開口する案内部と、その案内部の下方の係合凹部とを備える。一方、前記第２接続部は、前記接続片の一方の面と当接する当接部と、その当接部から突設された係合凸部とを備える。そして、前記係合凸部は、前記案内部に案内されて前記係合凹部と係合すべく、前記係合凹部に嵌まる嵌合部と、その嵌合部よりも先端側の、先端ほど、前記切欠きの幅方向と対応する方向の寸法が大となるように形成された延設部とを備える。
【０００６】
こうして、隣合う一方のパネルの裏面側に設けられた第１接続部に、他方のパネルの裏面側に設けられた第２接続部が接続されることで、これらパネルは連結される。このとき、第１接続部における、接続片が有する切欠きは、上方ほど幅広となってその上方に開口する案内部と、その下方の係合凹部とを備えている。
そして、第２接続部における当接部が、接続片の一方の面と当接し、当接部から突設された係合凸部が、案内部に案内されて係合凹部と係合する。すなわち、一方のパネルに対して、他方のパネルを、当接部が接続片の一方の面と当接するようにして下げることで、他方のパネルに設けられた係合凸部が、案内部に案内されて一方のパネルに設けられた係合凹部と係合する。したがって、パネルを壁の表側から組み付けることが可能となる。また、このとき、切欠きの案内部は、上方ほど幅広となっており、さらに、係合凸部の延設部は、先端ほど、切欠きの幅方向と対応する方向の寸法が大となるように形成されており、これらの相乗作用により、係合凸部の嵌合部が、係合凹部に確実に導かれる。
【０００７】
また、請求項２に記載の発明に係る壁構造は、壁を形成する複数のパネルが横方向に並ぶ壁構造であって、隣合う前記パネルの一方のパネルには、その裏面側に、第１接続部が設けられ、また、他方のパネルには、その裏面側に、前記第１接続部に接続される第２接続部が設けられている。ここで、前記第２接続部は、下端から上方に向かって切り欠かれた切欠きを有する接続片を備える。そして、前記切欠きは、下方ほど幅広となってその下方に開口する案内部と、その案内部の上方の係合凹部とを備える。一方、前記第１接続部は、前記接続片の一方の面と当接する当接部と、その当接部から突設された係合凸部とを備える。そして、前記係合凸部は、相対的に前記案内部に案内されて前記係合凹部と係合すべく、前記係合凹部に嵌まる嵌合部と、その嵌合部よりも先端側の、先端ほど、前記切欠きの幅方向と対応する方向の寸法が大となるように形成された延設部とを備える。
【０００８】
こうして、隣合う一方のパネルの裏面側に設けられた第１接続部に、他方のパネルの裏面側に設けられた第２接続部が接続されることで、これらパネルは連結される。このとき、第２接続部における、接続片が有する切欠きは、下方ほど幅広となってその下方に開口する案内部と、その上方の係合凹部とを備えている。
そして、第１接続部における当接部が、接続片の一方の面と当接し、当接部から突設された係合凸部が、相対的に案内部に案内されて係合凹部と係合する。すなわち、一方のパネルに対して、他方のパネルを、当接部が接続片の一方の面と当接するようにして下げることで、一方のパネルに設けられた係合凸部が、相対的に案内部に案内されて他方のパネルに設けられた係合凹部と係合する。したがって、パネルを壁の表側から組み付けることが可能となる。また、このとき、切欠きの案内部は、下方ほど幅広となっており、さらに、係合凸部の延設部は、先端ほど、切欠きの幅方向と対応する方向の寸法が大となるように形成されており、これらの相乗作用により、係合凸部の嵌合部に、係合凹部が確実に導かれる。
【０００９】
また、請求項３に記載の発明に係る壁構造のように、請求項１または２に記載の壁構造において、前記係合凸部は、その嵌合部と延設部との外周が円によって構成されてもよい。これにより、一方のパネルに対して他方のパネルを下げていくときに、切欠きと、係合凸部との掛かり始めが円滑となる。
【００１０】
また、請求項４に記載の発明に係る壁構造のように、請求項１ないし３のいずれか１項に記載の壁構造において、前記接続片は、前記切欠きを挟む少なくとも一方の縁部が、前記切欠きの開口側に向かうにつれて前記当接部から離れるように傾斜して形成されてもよい。これにより、係合凸部と係合凹部とが係合した後に、それら係合凸部と係合凹部とが、安易に外れるのを防ぐことができる。
【００１１】
また、請求項５に記載の発明に係る壁構造のように、請求項１ないし４のいずれか１項に記載の壁構造において、前記接続片は、上下を逆転して使用可能となるように、その接続片には、前記切欠きが、上下の位置のそれぞれに形成されてもよい。このように、接続片に、切欠きが、上下の位置のそれぞれに形成されることで、この接続片は、上下を逆転して使用可能となっており、この接続片の汎用性が増加する。
【００１２】
また、請求項６に記載の発明に係る壁構造のように、請求項１ないし５のいずれか１項に記載の壁構造において、前記パネルは、板状のパネル材と、そのパネル材の裏面側に設けられたフレームとを備え、前記第１接続部と前記第２接続部は、前記フレームにそれぞれ設けられてもよい。こうして、第１接続部と第２接続部とが、パネルにおけるフレームに設けられることで、それら第１接続部と第２接続部との接続の強度が増加し、パネル同士の連結が強固となる。
【００１３】
また、請求項７に記載の発明に係る壁構造のように、請求項１に記載の壁構造において、前記接続片は、前記一方の面が、前方を向くようにして、前記一方のパネルから、前記他方のパネル側に突出するようにして設けられてもよい。これにより、一方のパネルに対して、他方のパネルを、前方から後方に向かって移動させることで、他方のパネルにおける当接部が、一方のパネルにおける接続片の一方の面と当接する。そこで、他方のパネルを下げれば、他方のパネルに設けられた係合凸部が、一方のパネルに設けられた係合凹部と係合する。
【００１４】
また、請求項８に記載の発明に係る壁構造のように、請求項１ないし７のいずれか１項に記載の壁構造において、隣合う前記パネルの、互いに対向する端面には、上下に延びる溝が形成されており、それら溝と、前記パネル間の隙間とに嵌まるように、断面略Ｔ字状または断面略十字状の、スペーサーが設けられてもよい。このスペーサーによって、パネル間の隙間、すなわち目地を一定幅に保つことができ、また、両パネルの表面を合わせることができる。さらに、目地に埋められる目地材の過度の進入が、このスペーサーによって防がれる。
【００１５】
また、請求項９に記載の発明に係る壁構造のように、請求項１ないし８のいずれか１項に記載の壁構造において、前記壁は、ユニットバスの壁であってもよい。
【００１６】
【発明の実施の形態】
以下、この発明に係る壁構造の実施の形態を図面に基づいて説明する。
【００１７】
図１ないし図１０は、本発明に係る壁構造の一実施の形態を示す。図中符号１は、ユニットバスである。２は、ユニットバス１の壁である。３は、前記壁２を形成する複数のパネル４、４が横方向に並ぶ壁構造である。
【００１８】
この壁構造３においては、隣合うパネル４、４の一方のパネル４には、その裏面側（すなわち後面側）に第１接続部５が設けられ、また、他方のパネル４には、その裏面側に、第１接続部５に接続される第２接続部６が設けられている。そして、第１接続部５は、接続片５ａ（例えば、板状の接続片）を備えており、この接続片５ａは、上端から下方に向かって切り欠かれた切欠き５ｂを有している。この切欠き５ｂは、上方ほど幅広となってその上方に開口する案内部５ｃと、その案内部５ｃの下方の係合凹部５ｄとを備えている。また、第２接続部６は、第１接続部５における接続片５ａの一方の面５ｅと当接する当接部６ａと、その当接部６ａから突設された係合凸部６ｂとを備えている。この係合凸部６ｂは、第１接続部５における案内部５ｃに案内されて係合凹部５ｄと係合すべく、その係合凹部５ｄに嵌まる嵌合部６ｃと、その嵌合部６ｃよりも先端側の、先端ほど、第１接続部５における切欠き５ｂの幅方向と対応する方向の寸法が大となるように形成された延設部６ｄとを備えている。
【００１９】
具体的には、パネル４は、図２および図３に示すように、板状のパネル材７と、そのパネル材７の裏面側（すなわち後面側）に設けられたフレーム８とを備えている。そして、パネル材７は、矩形形状をしており、その表面側（すなわち前面側）には、化粧板７ａを有している。また、フレーム８は、パネル材７の裏面側の、左右の縁部で上下に延びる縦フレーム８ａ、８ａと、上下の縁部で左右に延びる横フレーム８ｂ、８ｂとを有しており、それらは、接着等によりパネル材７に固定されている。ここで、少なくとも縦フレーム８ａは、その後面８ｃに、長手方向に延びる凹条８ｄが形成されている。そして、隣合うパネル４の、互いに対向する端面を構成する、この縦フレーム８ａの外側の側面８ｅには、長手方向に延びる、すなわち上下に延びる、溝８ｆが形成されている。そして、壁構造３には、隣合うパネル４、４の、これら溝８ｆ、８ｆと、パネル４、４間の隙間Ｓとに嵌まるように、断面略Ｔ字状の、スペーサー９が設けられている。このスペーサー９は、断面Ｌ字の２つの金具９ａ、９ａの、それらＬ字９ａ、９ａの一片を互いに接合することで形成されている。
【００２０】
また、図３に示すように、一方のパネル４（例えばパネルＰ１）における第１接続部５と、他方のパネル４（例えばパネルＰ２）における第２接続部６は、前記フレーム８（詳細には縦フレーム８ａ）にそれぞれ設けられている。ここで、第１接続部５は、例えば、ステンレス鋼板等の金属板によって形成された第１プレートＱ１からなる（図３、図６、図７参照）。この第１プレートＱ１は、フレーム８（詳細には縦フレーム８ａ）の凹条８ｄに、例えばビスＶ１によって、取り付けられる取付片５ｆと、その取付片５ｆから後方に折り曲げられた連設片５ｇと、その連設片５ｇから折り曲げられて、縦フレーム８ａの後面８ｃに沿うとともに外側の側面８ｅを越えて延びる前記接続片５ａとからなる。こうして、接続片５ａは、前記一方の面５ｅが、前方を向くようにして、一方のパネル４（例えばパネルＰ１）から、隣接する他方のパネル４（例えばパネルＰ２）側に突出するようにして設けられることとなる。そして、この接続片５ａの上部に、前記切欠き５ｂが形成されている（図４、図６参照）。また、接続片５ａは、前記切欠き５ｂを挟む少なくとも一方の縁部（図示実施の形態においては、連設片５ｇから延びた先端側の縁部５ｈ）が、切欠き５ｂの開口側に向かうにつれて第２接続部６の当接部６ａから離れるように傾斜して形成されている（図５，６、７参照）。さらに、接続片５ａ（つまりは、第１プレートＱ１）は、上下を逆転して使用可能となるように、その接続片５ａには、前記切欠き５ｂが、上下の位置のそれぞれに形成されている。
【００２１】
第２接続部６は、例えば、ステンレス鋼板等の金属板によって形成された第２プレートＱ２と、その第２プレートＱ２とは別体の前記係合凸部６ｂとからなる。第２プレートＱ２は、フレーム８（詳細には縦フレーム８ａ）の凹条８ｄに、例えばビスＶ２によって、取り付けられる取付片６ｅと、その取付片６ｅから後方に折り曲げられた連設片６ｆと、その連設片６ｆから折り曲げられて、縦フレーム８ａの後面８ｃに沿う前記当接部６ａとからなる。そして、当接部６ａには、その上下の位置に孔６ｇが明けられている。係合凸部６ｂは、前記嵌合部６ｃと、前記延設部６ｄと、その延設部６ｄから連設された先端部６ｈとからなる。
図示実施の形態においては、嵌合部６ｃおよび先端部６ｈは、円盤形状をし、延設部６ｄは、円錐台形状をしている。こうして、この係合凸部６ｂは、先端部６ｈを含めて、嵌合部６ｃと延設部６ｄとの外周が円によって構成されている。また、この係合凸部６ｂには、第２プレートＱ２の上側の孔６ｇと連通するように、通孔６ｉが明けられており、これら通孔６ｉおよび孔６ｇを通るビスＶ３が、フレーム８（詳細には縦フレーム８ａ）にねじ込まれることで、この係合凸部６ｂは、フレーム８（詳細には縦フレーム８ａ）および第２プレートＱ２に止められる。なお、当接部６ａ（つまりは、第２プレートＱ２）は、上下を逆転して使用可能となるように、その当接部６ａには、前記孔６ｇが、前述のように上下の位置のそれぞれに形成されている。
【００２２】
また、ユニットバス１のコーナー部には、柱１０が立てられている（図２参照）。この柱１０を、図２における左上の柱１０を例に説明すると、柱１０には、図１０に示すように、ブラケット１１が固定されている。そして、このブラケット１１に、切欠き１１ａが形成されている。この切欠き１１ａは、前記第１接続部５の切欠き５ｂと同様に、上方ほど幅広となってその上方に開口する案内部１１ｂと、その案内部１１ｂの下方の係合凹部１１ｃとを備えている。そして、パネル４における第２接続部６の係合凸部６ｂが、案内部１１ｂに案内されて係合凹部１１ｃと係合する。また、この柱１０には、断面Ｌ字状のスペーサー１２が固定されており、このスペーサー１２の一片が、パネル４の溝８ｆに嵌まるようになっている。
【００２３】
次に、以上の構成からなる壁構造３の作用効果について説明する。この壁構造３によると、隣合う一方のパネル４（例えばパネルＰ１）の裏面側に設けられた第１接続部５に、他方のパネル４（例えばパネルＰ２）の裏面側に設けられた第２接続部６が接続されることで、これらパネル４、４は連結される。このとき、第１接続部５における、接続片５ａが有する切欠き５ｂは、上方ほど幅広となってその上方に開口する案内部５ｃと、その下方の係合凹部５ｄとを備えている。そして、第２接続部６における当接部６ａが、第１接続部５における接続片５ａの一方の面５ｅと当接し、当接部６ａから突設された係合凸部６ｂが、案内部５ｃに案内されて係合凹部５ｄと係合する。すなわち、一方のパネル４（例えばパネルＰ１）に対して、他方のパネル４（例えばパネルＰ２）の当接部６ａが接続片５ａの一方の面５ｅと当接するようにして、他方のパネル４を下げることで、他方のパネル４における第２接続部６の係合凸部６ｂが、一方のパネル４における第１接続部５の案内部５ｃに案内されて係合凹部５ｄと係合する。したがって、パネル４を壁２の表側から組み付けることが可能となる。特に、この壁構造３は、ユニットバス１のような、浴室内からパネル４、４の組付作業を行う必要がある部位においては、好適な構造である。このように、この壁構造３によると、パネル４、４を壁２の表側から組み付けることが可能となるとともに、パネル４、４同士の連結に柱を必要とせず、製造コストを下げることができる。
【００２４】
その上、第１プレートＱ１の接続片５ａは、一方の面５ｅが、前方を向くようにして、一方のパネル４（例えばパネルＰ１）から、他方のパネル４（例えばパネルＰ２）側に突出するようにして設けられている。したがって、一方のパネル４（例えばパネルＰ１）に対して、他方のパネル４（例えばパネルＰ２）を、前方から後方に向かって移動させることで、他方のパネル４における当接部６ａが、一方のパネル４における接続片５ａの一方の面５ｅと当接する。そこで、他方のパネル４を下げれば、その他方のパネル４に設けられた係合凸部６ｂが、一方のパネル４に設けられた係合凹部５ｄと係合する。このように、一方のパネル４に対して、他方のパネル４を、前方から後方に向かって移動させることで、他方のパネル４における当接部６ａを、一方のパネル４における接続片５ａの一方の面５ｅと当接させることができる。
【００２５】
また、ここで、切欠き５ｂの案内部５ｃは、上方ほど幅広となっており、さらに、係合凸部６ｂの延設部６ｄは、先端ほど、切欠き５ｂの幅方向と対応する方向の寸法が大となるように形成されている。したがって、これら案内部５ｃと延設部６ｄとの相乗作用により、係合凸部６ｂの嵌合部６ｃが、係合凹部５ｄに確実に導かれる。こうして、この壁構造３によると、係合凸部６ｂの嵌合部６ｃと、係合凹部５ｄとが確実に嵌合し、これらパネル４、４同士を、容易に連結することができる。しかも、係合凸部６ｂは、その嵌合部６ｃと延設部６ｄとの外周が円によって構成されており、一方のパネル４（例えばパネルＰ１）に対して他方のパネル４（例えばパネルＰ２）を下げていくときに、切欠き５ｂと、係合凸部６ｂとの掛かり始めが円滑となる。したがって、これらパネル４、４同士を、一層容易に連結することができる。
【００２６】
そして、第１接続部５となる第１プレートＱ１の接続片５ａは、切欠き５ｂを挟む少なくとも一方の縁部５ｈが、切欠き５ｂの開口側に向かうにつれて、第２接続部６における第２プレートＱ２の当接部６ａから離れるように傾斜して形成されている。したがって、係合凸部６ｂと係合凹部５ｄとが係合した後に、それら係合凸部６ｂと係合凹部５ｄとが、安易に外れるのを防ぐことができる。さらに、第１接続部５と第２接続部６とが、パネル４におけるフレーム８（詳細には縦フレーム８ａ）に設けられることで、それら第１接続部５と第２接続部６との接続の強度が増加し、パネル４、４同士の連結が強固となる。
【００２７】
また、第１プレートＱ１の接続片５ａには、切欠き５ｂが、上下の位置のそれぞれに形成されている。したがって、この接続片５ａ、つまりは第１プレートＱ１は、上下を逆転して使用可能となっており、この接続片５ａの汎用性が増加する。
【００２８】
また、この壁構造３には、スペーサー９が設けられており、このスペーサー９によって、パネル４，４間の隙間Ｓ、すなわち目地Ｍを一定幅に保つことができ、また、両パネル４、４の表面を合わせることができる。さらに、目地Ｍに埋められる目地材１３の過度の進入を、このスペーサー９によって防ぐことができる。
【００２９】
なお、本発明は、上述した実施の形態に限定されるわけではなく、その他種々の変更が可能である。例えば、この壁構造３が適用される壁は、ユニットバス１の壁２でなくとも、建物の壁等、その他の構造物の壁であってもよい。
【００３０】
また、スペーサー９は、断面略Ｔ字状をしていなくとも、パネル４、４に形成された溝８ｆ、８ｆと、パネル４、４間の隙間Ｓとに嵌まるように、例えば、断面略十字状をしていてもよい。
【００３１】
また、係合凸部６ｂを構成する嵌合部６ｃおよび延設部６ｄのいずれか一方、もしくは双方は、その外周が必ずしも円で構成されている必要はない。
【００３２】
また、第２接続部６は、第２プレートＱ２を備えているが、この第２プレートＱ２は無くともよい。すなわち、係合凸部６ｂが、第２プレートＱ２を介すことなく、パネル４（詳細には縦フレーム８ａ）に取り付けられてもよい。そして、この場合には、パネル４（詳細には縦フレーム８ａ）が、当接部６ａとして機能する。
【００３３】
また、一方のパネル４（例えばパネルＰ１）の第１接続部５は、切欠き５ｂを有する接続片５ａを備え、他方のパネル４（例えばパネルＰ２）の第２接続部６は、当接部６ａと係合凸部６ｂとを備えているが、例えば、第１接続部５および第２接続部６を、上下を反転させるとともに、それら第１接続部５と第２接続部６との関係を逆にすることで、一方のパネル４の第１接続部が、当接部と、係合凸部とを備え、他方のパネル４の第２接続部が、切欠きを有する接続片を備えるようにしてもよい。すなわち、第２接続部は、下端から上方に向かって切り欠かれた切欠きを有する接続片を備える。そして、この切欠きは、下方ほど幅広となってその下方に開口する案内部と、その案内部の上方の係合凹部とを備える。一方、第１接続部は、前記接続片の一方の面と当接する当接部と、その当接部から突設された係合凸部とを備える。そして、この係合凸部は、相対的に前記案内部に案内されて前記係合凹部と係合すべく、前記係合凹部に嵌まる嵌合部と、その嵌合部よりも先端側の、先端ほど、前記切欠きの幅方向と対応する方向の寸法が大となるように形成された延設部とを備える。そして、この構成により、前述の一実施の形態に示す壁構造３と同様に、隣合う一方のパネル４の裏面側に設けられた第１接続部に、他方のパネル４の裏面側に設けられた第２接続部が接続されることで、これらパネル４、４は連結される。このとき、第２接続部における、接続片が有する切欠きは、下方ほど幅広となってその下方に開口する案内部と、その上方の係合凹部とを備えている。そして、第１接続部における当接部が、接続片の一方の面と当接し、当接部から突設された係合凸部が、相対的に案内部に案内されて係合凹部と係合する。すなわち、一方のパネルに対して、他方のパネルを、当接部が接続片の一方の面と当接するようにして下げることで、一方のパネル４に設けられた係合凸部が、相対的に案内部に案内されて他方のパネル４に設けられた係合凹部と係合する。したがって、パネル４を壁の表側から組み付けることが可能となる。このように、この壁構造によると、パネル４を壁の表側から組み付けることが可能となるとともに、パネル４、４同士の連結に柱を必要とせず、製造コストを下げることができる。また、このとき、切欠きの案内部は、下方ほど幅広となっており、さらに、係合凸部の延設部は、先端ほど、切欠きの幅方向と対応する方向の寸法が大となるように形成されている。したがって、これら案内部と延設部との相乗作用により、係合凸部の嵌合部に、係合凹部が確実に導かれる。こうして、この壁構造によると、係合凸部の嵌合部と、係合凹部とが確実に嵌合し、これらパネル４、４同士を、容易に連結することができる。
【００３４】
【発明の効果】
以上、詳述したところから明らかなように、この発明に係る壁構造によれば、次の効果がある。
【００３５】
請求項１もしくは２、または９に記載された壁構造によれば、パネルを壁の表側から組み付けることが可能となるとともに、パネル同士の連結に柱を必要とせず、製造コストを下げることができる。しかも、係合凸部の嵌合部と、係合凹部とが確実に嵌合するので、これらパネル同士を、容易に連結することができる。
【００３６】
また、請求項３に記載された壁構造によれば、請求項１または２の効果に加えて、係合凸部は、その嵌合部と延設部との外周が円によって構成されるので、一方のパネルに対して他方のパネルを下げていくときに、切欠きと、係合凸部との掛かり始めを円滑にすることができる。
【００３７】
また、請求項４に記載された壁構造によれば、請求項１ないし３のいずれか１項の効果に加えて、接続片における、切欠きを挟む少なくとも一方の縁部を、傾斜して形成することで、パネル同士が連結された後に、係合凸部と係合凹部との外れを防ぐことができる。
【００３８】
また、請求項５に記載された壁構造によれば、請求項１ないし４のいずれか１項の効果に加えて、切欠きを、接続片の上下の位置のそれぞれに形成することで、接続片は、上下を逆転して使用可能となり、この接続片の汎用性を増加させることができる。
【００３９】
また、請求項６に記載された壁構造によれば、請求項１ないし５のいずれか１項の効果に加えて、第１接続部と第２接続部とを、パネルにおけるフレームに設けることで、それら第１接続部と第２接続部との接続の強度を増加させて、パネル同士を強固に連結することができる。
【００４０】
また、請求項７に記載された壁構造によれば、請求項１の効果に加えて、一方のパネルに対して、他方のパネルを、前方から後方に向かって移動させることで、他方のパネルにおける当接部を、一方のパネルにおける接続片の一方の面と当接させることができる。
【００４１】
また、請求項８に記載された壁構造によれば、請求項１ないし７のいずれか１項の効果に加えて、スペーサーによって、目地を一定幅に保つことができ、また、両パネルの表面を合わせることができ、さらには、目地に埋められる目地材の過度の進入を防ぐことができる。
【図面の簡単な説明】
【図１】この発明に係る壁構造の一実施の形態の、ユニットバスを示す概略図である。
【図２】同じく、図１におけるＡ−Ａ線による断面図である。
【図３】同じく、図２におけるＢ部拡大図である。
【図４】同じく、要部拡大背面図である。
【図５】同じく、図４におけるＣ−Ｃ線による断面図である。
【図６】同じく、第１接続部の背面図である。
【図７】同じく、図６におけるＤ矢視図である。
【図８】同じく、第２接続部の背面図である。
【図９】同じく、図８におけるＥ矢視図である。
【図１０】同じく、柱を模式的に示す斜視図である。
【符号の説明】
２　壁　　　　　　　　　　　　　　３　壁構造
４　パネル（一方のパネル、他方のパネル）
５　第１接続部　　　　　　　　　　５ａ　接続片
５ｂ　切欠き　　　　　　　　　　　５ｃ　案内部
５ｄ　係合凹部　　　　　　　　　　５ｅ　一方の面
５ｈ　縁部　　　　　　　　　　　　６　第２接続部
６ａ　当接部　　　　　　　　　　　６ｂ　係合凸部
６ｃ　嵌合部　　　　　　　　　　　６ｄ　延設部
７　パネル材　　　　　　　　　　　８　フレーム
８ｆ　溝　　　　　　　　　　　　　９　スペーサー
Ｓ　隙間
Ｐ１　パネル（一方のパネル）
Ｐ２　パネル（他方のパネル）
【図１】
2004052220.tif 000003
【図２】
2004052220.tif 000004
【図３】
2004052220.tif 000005
【図４】
2004052220.tif 000006
【図５】
2004052220.tif 000007
【図６】
2004052220.tif 000008
【図７】
2004052220.tif 000009
【図８】
2004052220.tif 000010
【図９】
2004052220.tif 000011
【図１０】
2004052220.tif 000012